(57)【要約】【課題】  放送局を容易に特定できるといった視覚的に優れた電子番組表を表示することができる電子番組表表示装置および電子番組表表示方法を実現する。【解決手段】  本発明の電子番組表表示装置１は、複数のチャンネルと、該複数のチャンネル毎に対応付けられた放送番組とを含む電子番組表を表示するものであって、電子番組表には、チャンネル毎に放送局を示す放送局名および／またはロゴを表示する表示領域が設けられており、上記複数のチャンネルの各々に対応付けられた、放送局を識別する放送局識別情報を含む複数の番組情報を取得する番組情報取得部９と、上記各チャンネルの放送局識別情報が一致するか否かを判定する判定部１２と、上記放送局識別情報が一致するチャンネルの放送局を示す表示領域内には、放送局名および／または画像を１つだけ表示する制御を行う表示制御部５とを備えている。【選択図】  図１
2006210966.tif 000002
【特許請求の範囲】
【請求項１】
複数のチャンネルと、該複数のチャンネル毎に対応付けられた放送番組とを含む電子番組表を表示する電子番組表表示装置において、
上記電子番組表には、チャンネル毎に放送局を示す文字列および／または画像を表示する表示領域が設けられており、
上記複数のチャンネルの各々に対応付けられた、放送局を識別する放送局識別情報を含む複数の番組情報を取得する番組情報取得手段と、
上記各チャンネルの放送局識別情報が一致するか否かを判定する判定手段と、
上記放送局識別情報が一致するチャンネルの放送局を示す表示領域内には、放送局を示す文字列および／または画像を１つだけ表示する制御を行う表示制御手段とを備えていることを特徴とする電子番組表表示装置。
【請求項２】
上記放送局識別情報は、トランスポートストリームＩＤであることを特徴とする請求項１に記載の電子番組表表示装置。
【請求項３】
複数のチャンネルと、該複数のチャンネル毎に対応付けられた放送番組とを含む電子番組表を表示する電子番組表表示装置において、
上記電子番組表には、チャンネル毎に放送局を示す文字列および／または画像を表示する表示領域が設けられており、
上記複数のチャンネルの各々に対応付けられた、放送局名を含む文字情報を含む複数の番組情報を取得する番組情報取得手段と、
上記各チャンネルの放送局名を含む文字情報が一致するか否かを判定する判定手段と、
上記放送局名を含む文字情報が一致するチャンネルの放送局を示す表示領域内には、放送局を示す文字列および／または画像を１つだけ表示する制御を行う表示制御手段とを備えていることを特徴とする電子番組表表示装置。
【請求項４】
複数のチャンネルと、該複数のチャンネル毎に対応付けられた放送番組とを含む電子番組表を表示する電子番組表表示方法において、
上記電子番組表には、チャンネル毎に放送局を示す文字列および／または画像を表示する表示領域が設けられており、
上記複数のチャンネルの各々に対応付けられた、放送局を識別する放送局識別情報を含む複数の番組情報を取得し、
上記各チャンネルの放送局識別情報が一致するか否かを判定し、
上記放送局識別情報が一致するチャンネルの放送局を示す表示領域内には、放送局を示す文字列および／または画像を１つだけ表示することを特徴とする電子番組表表示方法。
【請求項５】
複数のチャンネルと、該複数のチャンネル毎に対応付けられた放送番組とを含む電子番組表を表示する電子番組表表示方法において、
上記電子番組表には、チャンネル毎に放送局を示す文字列および／または画像を表示する表示領域が設けられており、
上記複数のチャンネルの各々に対応付けられた、放送局名を含む文字情報を含む複数の番組情報を取得し、
上記各チャンネルの放送局名を含む文字情報が一致するか否かを判定し、
上記放送局名を含む文字情報が一致するチャンネルの放送局を示す表示領域内には、放送局を示す文字列および／または画像を１つだけ表示することを特徴とする電子番組表表示方法。
【請求項６】
請求項１から３のいずれか１項に記載の電子番組表表示装置が備える各手段をコンピュータに実現させることを特徴とするプログラム。
【請求項７】
請求項６に記載のプログラムを記録したコンピュータ読み取り可能な記録媒体。
【発明の詳細な説明】
【技術分野】
【０００１】
本発明は、視覚性に優れた電子番組表を表示する電子番組表表示装置、電子番組表表示方法、プログラム、およびそのプログラムを記録した記録媒体に関するものである。
【背景技術】
【０００２】
従来から、テレビジョン放送番組やラジオ放送番組などの案内情報として、新聞や番組情報誌などが用いられていた。さらに、近年では、インターネットが広く一般に普及したことや、テレビジョン放送用電波の隙間を利用したデータ放送が開始されたことにより、電子番組ガイド情報（ＥＰＧ（Electronic Program Guide）データ）を用いた電子番組表が利用されるようになった。
【０００３】
このようなＥＰＧデータを用いて電子番組表を表示する装置としては、例えば特許文献１に記載のディジタル放送受信装置がある。図７は、このディジタル放送受信装置が表示する電子番組表の概略図である。図７に示すＣＨ１０１〜ＣＨ１０３、ＣＨ１１０、ＣＨ１１１、およびＣＨ１１２は、チャンネル番号である。また、図７に示す１、２、３は、時間を表す。また、図７に示す共通番組Ａや、番組１１０Ａ等は、対応するチャンネルの対応する時間に放送される番組を示すものである。
【０００４】
図７に示すように、特許文献１のディジタル放送受信装置では、所定の時間帯において、複数のチャンネルで同一の番組を放送する場合には、この番組について１チャンネル分として（各チャンネルを１チャンネルにまとめて）表示している。具体的には、時間１と時間２では、ＣＨ１０１〜ＣＨ１０３が共通番組Ａを放送するため、これらの番組情報を１チャンネル分の領域に表示している。
【０００５】
また、ＥＰＧデータを用いて表示された他の電子番組表としては、図８に示すものがある。図８に示す１２１…１３３はチャンネル番号を表し、０時〜５時は時間を表す。また、番組１２Ａ等は対応するチャンネルの対応する時間に放送される番組を示すものである。さらに、チャンネル１２１に隣接する位置に表示されている画像は、チャンネル１２１に対応するロゴである。他の画像についても同様である。図８に示す電子番組表では、複数のチャンネルで同一の番組を放送する場合に、チャンネル毎に欄を設け、番組情報を１つにまとめて表示している。
【特許文献１】特開２００４−２０８１８７号公報（平成１６年(2004年)７月２２日公開）
【発明の開示】
【発明が解決しようとする課題】
【０００６】
しかしながら、上記特許文献１のディジタル放送受信装置では、放送局を特定する情報としてチャンネル番号が表示されているのみであり、そのチャンネルがどの放送局なのかといったことや、その番組がどの放送局で放送されるのかといったことが分かりにくい。
【０００７】
また、図８に示す電子番組表では、放送局を特定する情報として、チャンネル番号と共にチャンネル番号に対応したロゴが表示されている。しかしながら、ロゴで放送局を特定しようとすると、どのロゴがどの放送局のものであるかを知っている必要がある。チャンネルの数が多くなるとロゴの数も多くなり、また、ロゴは変更される場合もあるため、常に全てのロゴを覚えておくことは難しい。したがって、この場合でも、どの番組がどの放送局で放送されるのかを特定することは困難である。
【０００８】
さらに、ディジタル放送では、同一の放送局で複数のチャンネルを有することが可能となっている。この場合、同じ放送局が有する複数のチャンネル毎で同じロゴを表示する場合もあり、複数の同じロゴが連続して表示されているため視覚的に煩わしいといった問題点をも有している。また、同じ放送局が有する複数のチャンネルで異なるロゴを表示する場合には、見誤ることもあり煩わしさは増大する。
【０００９】
本発明は、上記の問題点を鑑みてなされたものであり、その目的は、放送局を容易に特定できるといった視覚的に優れた電子番組表を表示することができる電子番組表表示装置、電子番組表表示方法、プログラム、およびそのプログラムを記録した記録媒体を実現することにある。
【課題を解決するための手段】
【００１０】
本発明に係る電子番組表表示装置は、上記課題を解決するために、複数のチャンネルと、該複数のチャンネル毎に対応付けられた放送番組とを含む電子番組表を表示する電子番組表表示装置において、上記電子番組表には、チャンネル毎に放送局を示す文字列および／または画像を表示する表示領域が設けられており、上記複数のチャンネルの各々に対応付けられた、放送局を識別する放送局識別情報を含む複数の番組情報を取得する番組情報取得手段と、上記各チャンネルの放送局識別情報が一致するか否かを判定する判定手段と、上記放送局識別情報が一致するチャンネルの放送局を示す表示領域内には、放送局を示す文字列および／または画像を１つだけ表示する制御を行う表示制御手段とを備えていることを特徴としている。
【００１１】
上記の構成によれば、複数のチャンネルで同一の放送番組を放送する場合であっても、各チャンネル毎に対応付けられた放送番組が表示される。また、電子番組表には、チャンネル毎に、チャンネルに対応する放送局を示す文字列および／または画像を表示する表示領域が設けられている。すなわち、上記電子番組表では、チャンネル毎に放送局を示す文字列および／または画像を表示するための領域が確保されている。なお、放送局を示す文字列とは、例えば放送局名であり、放送局を示す画像とは、例えば放送局に対応したロゴである。
【００１２】
また、番組情報取得手段が複数のチャンネルの各々に対応付けられた複数の番組情報を取得する。この番組情報には、放送局を識別する放送局識別情報が含まれている。なお、放送局識別情報とは、番組情報に含まれる放送番組を放送する放送局を識別するための識別情報である。
【００１３】
さらに、判定手段によって各チャンネルに対応付けられた放送局識別情報が一致するか否かが判定される。判定に放送局識別情報が用いられるため、高精度な判定を実現できる。また、放送局識別情報が一致する場合とは、放送局が同じであるということを意味する。すなわち、複数の異なるチャンネルの中で同じ放送局を特定することができる。
【００１４】
さらに、表示制御部の制御により、放送局識別情報が一致した複数のチャンネル毎に設けられた表示領域内には、放送局を示す文字列および／または画像を１つだけ表示される。すなわち、一つの放送局で複数のチャンネルを有する場合であっても、各チャンネル毎に放送局を示す文字列や画像を表示するのではなく、まとめて表示することが可能となる。これにより、任意の番組がどの放送局で放送されるかといった情報を分かりやすく表示できるため、放送番組を放送する放送局を特定することが容易になる。また、表示領域内を簡略化することができ、視覚的に優れた電子番組表を表示することができる。
【００１５】
本発明に係る電子番組表表示装置では、上記放送局識別情報は、トランスポートストリームＩＤであることが好ましい。上記の構成によれば、放送局識別情報の判定を容易に行うことができる。
【００１６】
本発明に係る電子番組表表示装置は、上記課題を解決するために、複数のチャンネルと、該複数のチャンネル毎に対応付けられた放送番組とを含む電子番組表を表示する電子番組表表示装置において、上記電子番組表には、チャンネル毎に放送局を示す文字列および／または画像を表示する表示領域が設けられており、上記複数のチャンネルの各々に対応付けられた、放送局名を含む文字情報を含む複数の番組情報を取得する番組情報取得手段と、上記各チャンネルの放送局名を含む文字情報が一致するか否かを判定する判定手段と、上記放送局名を含む文字情報が一致するチャンネルの放送局を示す表示領域内には、放送局を示す文字列および／または画像を１つだけ表示する制御を行う表示制御手段とを備えていることを特徴としている。
【００１７】
上記の構成によれば、複数のチャンネルで同一の放送番組を放送する場合であっても、各チャンネル毎に対応付けられた放送番組が表示される。また、電子番組表には、チャンネル毎に、チャンネルに対応する放送局を示す文字列および／または画像を表示する表示領域が設けられている。すなわち、上記電子番組表では、チャンネル毎に放送局を示す文字列および／または画像を表示するための領域が確保されている。なお、放送局を示す文字列とは、例えば放送局名であり、放送局を示す画像とは、例えば放送局に対応したロゴである。
【００１８】
また、番組情報取得手段が複数のチャンネルの各々に対応付けられた複数の番組情報を取得する。この番組情報には、放送局名を含む文字情報が含まれている。なお、放送局名を含む文字情報とは、放送局名を示す文字列に関する情報の他に、放送局名を示す文字列に付与された数字等も含まれる。
【００１９】
さらに、判定手段によって各チャンネルに対応付けられた放送名を含む文字情報が一致するか否かが判定される。判定に放送局名を含む文字情報が用いられるため、複数の異なるチャンネルの中で同じ放送局を容易に特定することができる。
【００２０】
さらに、表示制御部の制御により、放送局名を含む文字情報が一致した複数のチャンネル毎に設けられた表示領域内には、放送局を示す文字列および／または画像を１つだけ表示される。すなわち、一つの放送局で複数のチャンネルを有する場合であっても、各チャンネル毎に放送局を示す文字列や画像を表示するのではなく、まとめて表示することが可能となる。これにより、放送番組を放送する放送局を特定することが容易になる。また、表示領域内を簡略化することができ、視覚的に優れた電子番組表を表示することができる。
【００２１】
本発明に係る電子番組表表示方法は、上記課題を解決するために、複数のチャンネルと、該複数のチャンネル毎に対応付けられた放送番組とを含む電子番組表を表示する電子番組表表示方法において、上記電子番組表には、チャンネル毎に放送局を示す文字列および／または画像を表示する表示領域が設けられており、上記複数のチャンネルの各々に対応付けられた、放送局を識別する放送局識別情報を含む複数の番組情報を取得し、上記各チャンネルの放送局識別情報が一致するか否かを判定し、上記放送局識別情報が一致するチャンネルの放送局を示す表示領域内には、放送局を示す文字列および／または画像を１つだけ表示することを特徴としている。
【００２２】
上記の構成によれば、放送局識別情報が一致した複数のチャンネル毎に設けられた表示領域内に、放送局を示す文字列および／または画像を１つだけ表示させることができる。すなわち、一つの放送局で複数のチャンネルを有する場合であっても、各チャンネル毎に放送局を示す文字列や画像を表示するのではなく、まとめて表示することが可能となる。これにより、放送番組を放送する放送局を特定することが容易になる。また、表示領域内を簡略化することができ、視覚的に優れた電子番組表を表示することができる。
【００２３】
本発明に係る電子番組表表示方法は、上記課題を解決するために、複数のチャンネルと、該複数のチャンネル毎に対応付けられた放送番組とを含む電子番組表を表示する電子番組表表示方法において、上記電子番組表には、チャンネル毎に放送局を示す文字列および／または画像を表示する表示領域が設けられており、上記複数のチャンネルの各々に対応付けられた、放送局名を含む文字情報を含む複数の番組情報を取得し、上記各チャンネルの放送局名を含む文字情報が一致するか否かを判定し、上記放送局名を含む文字情報が一致するチャンネルの放送局を示す表示領域内には、放送局を示す文字列および／または画像を１つだけ表示することを特徴としている。
【００２４】
上記の構成によれば、放送局名を含む文字情報が一致した複数のチャンネル毎に設けられた表示領域内に、放送局を示す文字列および／または画像を１つだけ表示させることができる。すなわち、一つの放送局で複数のチャンネルを有する場合であっても、各チャンネル毎に放送局を示す文字列や画像を表示するのではなく、まとめて表示することが可能となる。これにより、放送番組を放送する放送局を特定することが容易になる。また、表示領域内を簡略化することができ、視覚的に優れた電子番組表を表示することができる。
【発明の効果】
【００２５】
本発明に係る電子番組表表示装置は、以上のように、電子番組表には、チャンネル毎に放送局を示す文字列および／または画像を表示する表示領域が設けられており、上記複数のチャンネルの各々に対応付けられた、放送局を識別する放送局識別情報を含む複数の番組情報を取得する番組情報取得手段と、上記各チャンネルの放送局識別情報が一致するか否かを判定する判定手段と、上記放送局識別情報が一致するチャンネルの放送局を示す表示領域内には、放送局を示す文字列および／または画像を１つだけ表示する制御を行う表示制御手段とを備えているので、放送番組を放送する放送局を特定することが容易になると共に、表示領域内を簡略化することができ、視覚的に優れた電子番組表を表示することができる。
【発明を実施するための最良の形態】
【００２６】
〔実施の形態１〕
本発明の第１の実施の形態について図１ないし図３に基づいて説明すると以下の通りである。
【００２７】
図１は、本実施の形態に係る電子番組表表示装置の概略構成を示すブロック図である。図１に示すように、電子番組表表示装置１は、受信部２、番組情報管理データベース３、制御部４、表示制御部（表示制御手段）５、表示部６、リモコン受信部７を備えている。
【００２８】
受信部２は、テレビ映像を表示するための各種データ（テレビデータ）を受信するものであり、テレビデータ受信部８、番組情報取得部（番組情報取得手段）９、デコーダ１０を備えている。
【００２９】
テレビデータ受信部８は、アンテナ１１等を介して所定の放送波を受信することにより、あるいは、データ記録媒体から読み出すことにより、あるいは、インターネットやＣＡＴＶなどの回線を通じて、テレビデータを受信する。テレビデータには、映像データ、音声データ、文字情報等のデータ、および電子番組表に関する番組情報（ＥＰＧデータ）が含まれている。
【００３０】
ここで、ＥＰＧデータは、各放送局にて作成され、放送波と共に送出される。電子番組表表示装置１は、このＥＰＧデータから電子番組表を作成して表示する。また、ＥＰＧデータには、放送番組の属性（放送日時、放送局名、ロゴ、チャンネル、タイトル）を示した番組情報が、放送番組毎に対応付けて記されている。つまり、番組情報は、放送日時を示した放送日時情報、放送局名を示した放送局名情報、ロゴを示したロゴ情報、チャンネルを示したチャンネル情報、タイトルを示したタイトル情報を含む構成となっている。さらに、番組情報には、チャンネルに対応付けられた番組を放送する放送局を識別するための識別情報（放送局識別情報）が含まれている。なお、本実施の形態では、放送番組の属性として、放送日時、放送局、ロゴ、チャンネル、タイトルを例に挙げているが、これに限定されるものではない。
【００３１】
また、以下では、ＥＰＧデータが、複数の番組情報により構成されている場合を例に挙げて説明する。つまり、ＥＰＧデータ内に、複数の番組情報が含まれている場合を説明する。
【００３２】
テレビデータ受信部８は、これらテレビ映像を表示するために必要な映像データ、音声データおよび文字情報等のデータと、電子番組表を表示するために用いられる（テレビ映像の表示には用いられない）ＥＰＧデータとを分離する。このＥＰＧデータは、番組情報取得部９に送られ、映像データ、音声データおよび文字情報等のデータは、デコーダ１０に送られる。
【００３３】
番組情報取得部９は、テレビデータ受信部８を介してＥＰＧデータを取得するものである。また、取得したＥＰＧデータは、番組情報管理データベース３に記憶される。番組情報管理データベース３は、フラッシュメモリ等の記憶装置で構成することができる。すなわち、番組情報取得部９は、複数の放送局から送信されたＥＰＧデータを取得し、各ＥＰＧデータを記憶装置に番組情報管理データベース３として記憶させている。このため、番組情報管理データベース３には、最新のＥＰＧデータを記憶させることができる。なお、番組情報取得部９がＥＰＧデータを取得する頻度は特に限定されず、定期的もしくは任意のタイミングにてＥＰＧデータを取得するものであればよい。
【００３４】
デコーダ１０は、受信したテレビデータをデジタルデータからアナログデータに復号するものである。デコーダ１０は、デジタルデータをアナログデータに復号するものであればよく、例えば、映像データを復号する映像デコーダ（不図示）、音声データを復号する音声デコーダ（不図示）、および文字情報等のデータを復号するデータデコーダ（不図示）を各々備えた構成とすることができる。デコーダ１０にて復号された各データは、表示制御部５へ送られる。
【００３５】
制御部４は、電子番組表表示装置１の各種制御を行うものである。この各種制御とは、例えば、テレビデータの受信や復号、テレビデータや電子番組表の表示といった電子番組表表示装置１が行う一連の動作に関する制御のことである。
【００３６】
例えば、制御部４は、電子番組表の表示指示を受信すると、その電子番組表の表示領域を決定する。すなわち、制御部４は、電子番組表として表示すべき情報の種類（放送局、チャンネル、放送番組等）を決定し、それらを電子番組表のどの領域に表示させるかを決定する。
【００３７】
また、制御部４は、判定部（判定手段）１２を備えている。判定部１２は、受信したＥＰＧデータの各チャンネルの放送局識別情報を各々比較し、それらが一致するか否かを判定するものである。そして、判定部１２での判定結果は、表示制御部５に出力される。この判定部１２における放送局識別情報の判定方法の詳細については後述する。
【００３８】
なお、上記放送局識別情報は、各チャンネルに対応付けられた番組を放送する放送局を識別することができる情報であればよく、例えば、トランスポートストリームＩＤ（ＴＳＩＤ；Transport Stream ID）を用いることができる。
【００３９】
ＴＳＩＤとは、MPEG-2システム規格(ISO/IEC 13818-1)にて規定されるＰＡＴ(Program Association Table)に示されている16bitのストリーム識別情報で、MPEG-2のＴＳを識別するための番号である。また、ＴＳＩＤは、ＥＰＧデータを送信する放送局毎に付与された、放送局毎に異なるＩＤである。このため、ＴＳＩＤが一致するか否かを判定することにより、放送局が同じであるか否かを判定することが可能となる。ＴＳＩＤは、ＥＰＧデータのＮＩＴ(Network Information Table)から取得することができる。
【００４０】
表示制御部５は、所定のテレビ映像・音声、文字情報、電子番組表を表示・出力するように制御するものである。すなわち、表示制御部５は、デコーダ１０にて復号されたテレビデータを入力し、このテレビデータに基づいたテレビ映像・音声および文字情報を表示するように制御する。
【００４１】
また、表示制御部５は、判定部１２にて判定された判定結果を用いて電子番組表を表示するように制御する。具体的には、判定部１２での判定の結果、放送局識別情報が一致するチャンネルがある場合、これら一致する各チャンネルは同じ放送局に対応するチャンネルである。このため、表示制御部５は、これら放送局識別情報が一致する各チャンネルに対応する放送局名やロゴを１つだけ表示するように制御する。
【００４２】
すなわち、表示制御部５は、チャンネル毎に設けられた、放送局名および／またはロゴを表示する領域の全領域内で１つだけ表示するように制御する。この場合、放送局識別情報が一致するチャンネルに対しては、１つの放送局名やロゴが表示され、放送局識別情報が異なるチャンネルに対して、異なる放送局名やロゴが表示されることとなる。
【００４３】
リモコン受信部７は、外部にあるリモコン１３からの信号を受信するインターフェース（Ｉ／Ｆ）である。リモコン受信部７にて受信した信号は制御部４に出力される。リモコンから受信する信号としては、チャンネル変更指示に関する信号や、音量変更指示に関する信号、電子番組表の表示指示が挙げられる。
【００４４】
次に、上記構成を有する電子番組表表示装置が表示する電子番組表について図２に基づいて説明する。図２は、上記電子番組表表示装置１が表示する電子番組表２０の概略を示す図である。本実施の形態では、図２に示すように、電子番組表２０には、ロゴ２１、放送局名２２、チャンネル番号２３、放送番組２４、放送時間２５が表示されている。なお、この電子番組表２０は、放送番組毎に記された番組情報からなるＥＰＧデータを用いて構成されている。
【００４５】
ロゴ２１は、各チャンネルに対応付けて付与されたものであり、対応するチャンネルを識別するための画像である。ロゴ２１は、番組情報内のロゴ情報に基づいて表示される。なお、ロゴ情報は、チャンネル毎に、各々対応付けて付与されている。なお、本実施の形態に係る電子番組表２０では、放送局が同じチャンネルに関しては、これらに対応付けられたロゴを複数のチャンネルで１つだけ表示している。すなわち、チャンネルが異なる場合であっても放送局が同じである場合には、１つのロゴを放送局単位でまとめて表示している。
【００４６】
放送局名２２は、各放送局に対応付けて付与されたものであり、対応する放送局を識別するための文字情報（文字列）である。放送局名２２は、番組情報内の放送局名情報に基づいて表示される。なお、放送局名情報においても、チャンネル毎に、各々対応付けて付与されている。また、電子番組表２０では、放送局名２２についても、放送局が同じチャンネルに関しては、これらに対応付けられた放送局名を複数のチャンネルで１つだけ表示している。すなわち、チャンネルが異なる場合であっても放送局が同じである場合には、１つの放送局名を放送局単位でまとめて表示している。なお、放送局名やロゴを表示させる方法の詳細については後述する。
【００４７】
チャンネル番号２３は、各チャンネルに対応付けて付与されたものであり、対応するチャンネルを識別するための識別番号である。チャンネル番号２３は、番組情報内のチャンネル情報に基づいて表示される。なお、１つのチャンネルに関する番組情報を１サービスとした場合、このチャンネル番号２３は、対応するサービスを識別するサービスＩＤと称することもできる。
【００４８】
放送番組２４は、放送される番組に対応付けて付与されたものであり、対応する放送番組を識別するための文字情報である。本実施の形態では、放送番組２４を識別する文字情報として、該放送番組２４のタイトルを例として挙げている。この場合、タイトルは、番組情報内のタイトル情報に基づいて表示される。放送番組２４を識別する文字情報としては、タイトルの他に、出演者、放送番組の解説文といった番組に関連する情報を含むものであってもよい。
【００４９】
また、上記タイトル情報においても、チャンネル毎に、各々対応付けて付与されている。ただし、同じ放送局の異なるチャンネルで同一の番組を放送する場合には、１つのタイトルを放送局単位でまとめて表示している。
【００５０】
なお、電子番組表２０は、取得したＥＰＧデータの一部を表示したものである。このため、電子番組表２０は、時間が変化する方向にスクロールさせたり、チャンネルが変化する方向にスクロールさせたりすることによって、より多くの情報を表示することができる。この場合、同じチャンネルで異なる時間に放送するチャンネルを確認することや、同じ時間範囲にて異なるチャンネルで放送する番組を確認することが可能となる。
【００５１】
上述のように、本実施の形態に係る電子番組表表示装置１は、１つの放送局に複数のチャンネルを有する場合であっても、チャンネル毎に放送局名やロゴを表示するのではなく、同じ放送局に係る放送局名やロゴを１つにまとめた電子番組表２０を表示している。具体的には、図２に示すように、ＡＡＡテレビがチャンネル１２１〜１２３を有する場合に、各チャンネルに対応する情報を表示する時間方向の領域を１行とすると、３行分の領域（チャンネル１２１〜１２３に対応する領域で、「ＡＡＡテレビ」と表示された領域、または、ロゴが表示された領域）に１つのロゴおよび放送局名を表示している。これにより、各チャンネルがどの放送局に対応しているかを容易に判別できる。また、電子番組表の、放送局名やロゴを表示する領域を簡略化することができる。
【００５２】
また、電子番組表２０では、表示している範囲内である放送番組を選択した場合に、その放送番組と関連する項目の表示部分の色を変化（ハイライト）させている。具体的には、番組１３Ｃを選択した場合に、番組１３Ｃを放送する、チャンネル（１３１）を表示する領域、放送局名（ＮＮＮ放送）を表示する領域、放送時間（３時）を表示する領域、および放送局に対応するロゴを表示する領域の色が変化している。特に、チャンネルを表示する領域は、上記他のハイライトされた領域とも異なる色に変化しており、選択した番組を放送するチャンネルを容易に特定できるようになっている。
【００５３】
次に、上記電子番組表表示装置１が電子番組表２０を表示するフローについて、図３に基づいて説明する。
【００５４】
まず、番組情報取得部９が、ＥＰＧデータ（番組情報）を取得する（Ｓ１）。そして、取得したＥＰＧデータは記憶装置に記憶され、番組情報管理データベース３が作成される（Ｓ２）。
【００５５】
電子番組表表示装置１に対して、電子番組表の表示指示が入力されると（Ｓ３）、制御部４は、電子番組表の表示する領域を決定する（Ｓ４）。なお、電子番組表の表示の指示は、リモコンによって行うこともでき、直接入力することもできる。
【００５６】
制御部４は、Ｓ４にて決定された表示領域に対応するＥＰＧデータ（表示するＥＰＧデータ）を番組情報管理データベース３から取得する（Ｓ５）。そして、判定部１２が、表示領域に含まれるＥＰＧデータの各チャンネル（各サービス）に対応付けられた放送局識別情報が一致するか否かを判定する（Ｓ６）。放送局識別情報としてＴＳＩＤを用いる場合には、各チャンネルに対応するＴＳＩＤが同じであるか否かを判定する。
【００５７】
Ｓ６にて、放送局識別情報が一致すると判定された場合には、これら一致したチャンネルは同一の放送局に属するチャンネルとし、放送局名および／またはロゴを表示する領域に、対応する放送局名および／またはロゴを１つだけ表示するように電子番組表を作成する（Ｓ７）。
【００５８】
具体的には、各チャンネルは、放送局名および／またはロゴを表示する領域を有しており、この領域に表示すべき放送局名および／またはロゴに関する情報を有している。そして、放送局識別情報が一致すると判定された場合には、これら一致すると判定されたチャンネルの全領域で１つだけ放送局名および／またはロゴを表示するようになっている。表示する放送局名および／またはロゴの１つとは、放送局識別情報が一致すると判定された各チャンネルに対応する各放送局名および／またはロゴのいずれか１つのことである。
【００５９】
すなわち、放送局識別情報が一致すると判定されたチャンネルの全領域で、各チャンネルに対応する各放送局名および／またはロゴのいずれか１つを表示することとなる。なお、放送局識別情報が一致すると判定された各チャンネルに対応する各放送局名および／またはロゴが異なる場合には、放送局名および／またはロゴは任意に選択してもよく、予め選択方法を設定しておいてもよい。選択方法としては、例えば、放送局識別情報が一致すると判定された各チャンネルの内、表示領域内に含まれるチャンネル番号（サービスＩＤ）の一番小さいチャンネルに対応する放送局名および／またはロゴを選択するといった方法が挙げられる。
【００６０】
一方、Ｓ６にて、放送局識別情報が一致しないと判定された場合には、これら一致しないチャンネルを異なる放送局に属するチャンネルとし、放送局名やロゴを表示する領域には、各々に対応する放送局名やロゴを個々に表示するように電子番組表を作成する（Ｓ８）。
【００６１】
放送局識別情報に基づく判定（Ｓ６〜Ｓ８）の後、制御部４は、決定された表示領域に表示すべき全てのＥＰＧデータを取得したか否かを判定する（Ｓ９）。表示すべき全てのＥＰＧデータを取得していると判定された場合には、上記判定結果に基づいて作成された電子番組表が表示される（Ｓ１０）。表示すべき全てのＥＰＧデータを取得していないと判定された場合には、再度Ｓ５以降の工程を行う。そして、Ｓ１０の後は、処理を終了する。これにより、図２に示す電子番組表２０が表示される。
【００６２】
なお、図７に示す従来の電子番組表では複数のチャンネルで共通の番組を放送する場合には、これら複数のチャンネルをまとめて１チャンネル分として表示している。すなわち、１チャンネル分の領域を用いて、ＣＨ１０１〜ＣＨ１０３にて共通番組Ａや共通番組Ｂを放送するといった表示している。しかしながら、図７で表示されている時間と異なる時間で放送される番組が、ＣＨ１０１、ＣＨ１０２およびＣＨ１０３の各々で異なる場合には、例えば図６に示すような電子番組表となる。
【００６３】
図６では、ＣＨ１０１、ＣＨ１０２およびＣＨ１０３の各々が１チャンネル分の領域を用いて、放送する番組を表示している。すなわち、従来の電子番組表では、時間方向にスクロールした場合（図７に示す電子番組表から図６示す電子番組表に変わった場合）に、表示されるチャンネルが変わってしまう。すなわち、図７の電子番組表では表示されていたＣＨ１１１やＣＨ１１２が図６の電子番組表は表示されていない。また、ＣＨ１１０は、図７の電子番組表と図６の電子番組表との双方で表示されているものの、表示されている位置が変わっている。このように、スクロールすることにより表示する領域が変わり、時間帯によって確認できる放送局と確認できない放送局とが入れ替わるため、番組表が非常に見づらく、ユーザは混乱してしまい、操作の利便性は低いものであった。
【００６４】
これに対して、本実施の形態に係る電子番組表２０は、図２に示すように、チャンネル毎に放送番組を表示する領域が設けられており、複数のチャンネルで同一の番組を放送する場合には、放送番組を１つにまとめて表示し、異なるチャンネルで異なる番組を放送する場合には、個別に放送番組を表示している。したがって、本実施の形態に係る電子番組表においては、上記時間方向にスクロールした場合に表示されるチャンネルが変わるといった問題点が生じることはなく、操作性および利便性が向上したといえる。
【００６５】
〔実施の形態２〕
本発明の第２の実施の形態について図１、図２および図４に基づいて説明すれば以下の通りである。本実施の形態に係る電子番組表表示装置１の構成や、電子番組表表示装置１が表示する電子番組表２０については、実施の形態１と同様である。図４は、電子番組表表示装置１が電子番組表２０を表示するフローを示すフローチャートである。
【００６６】
なお、本実施の形態は、上記実施の形態１と比較して、各チャンネルに対応する放送局が一致するか否かを判定する工程が異なるものである。このため、本実施の形態では、主として、上記判定する工程に係る部分について説明する。また、特に断らない限り、本実施の形態で用いる用語についても、上記実施の形態１と同様の意味とする。
【００６７】
本実施の形態では、各チャンネルに対応する放送局が一致するか否かの判定に、放送局名を含む文字情報を用いている。放送局名を含む文字情報とは、番組情報に含まれる放送局名情報であり、放送局名を示す文字列や、放送局名を示す文字列およびそれに付記された数字を含む文字情報等である。この放送局名を含む文字情報は、ＥＰＧデータのＳＤＴ(Service Description Table)から取得することができる。
【００６８】
ここで、電子番組表表示装置１が電子番組表２０を表示するフローについて、図４に基づいて説明する。
【００６９】
まず、番組情報取得部９が、ＥＰＧデータ（番組情報）を取得する（Ｓ１１）。そして、取得したＥＰＧデータは記憶装置に記憶され、番組情報管理データベース３が作成される（Ｓ１２）。次に、電子番組表表示装置１に対して、電子番組表の表示指示が入力されると（Ｓ１３）、制御部４は、電子番組表の表示する領域を決定する（Ｓ１４）。
【００７０】
制御部４は、Ｓ１４にて決定された表示領域に対応するＥＰＧデータ（表示するＥＰＧデータ）を番組情報管理データベース３から取得する（Ｓ１５）。そして、判定部１２が、表示領域に含まれるＥＰＧデータの各チャンネル（各サービス）に対応付けられた放送局名を含む文字情報が一致するか否かを判定する（Ｓ１６）。
【００７１】
Ｓ１６にて、放送局名を含む文字情報が一致すると判定された場合には、これら一致したチャンネルは同一の放送局に属するチャンネルとし、放送局名および／またはロゴを表示する領域に、対応する放送局名および／またはロゴを１つだけ表示するように電子番組表を作成する（Ｓ１７）。
【００７２】
具体的には、放送局名を含む文字情報が一致すると判定されたチャンネルの全領域で、各チャンネルに対応する各放送局名および／またはロゴのいずれか１つを表示することとなる。
【００７３】
一方、Ｓ１６にて、放送局名を含む文字情報が一致しないと判定された場合には、これら一致しないチャンネルを異なる放送局に属するチャンネルとし、放送局名やロゴを表示する領域には、各々に対応する放送局名やロゴを個々に表示するように電子番組表を作成する（Ｓ１８）。
【００７４】
放送局名を含む文字情報に基づく判定（Ｓ１６〜Ｓ１８）の後、制御部４は、決定された表示領域に表示すべき全てのＥＰＧデータを取得したか否かを判定する（Ｓ１９）。表示すべき全てのＥＰＧデータを取得していると判定された場合には、上記判定結果に基づいて作成された電子番組表が表示される（Ｓ２０）。表示すべき全てのＥＰＧデータを取得していないと判定された場合には、再度Ｓ１５以降の工程を行う。そして、Ｓ２０の後は、処理を終了する。これにより、図２に示す電子番組表２０が表示される。
【００７５】
上記Ｓ１１〜１５およびＳ１７〜Ｓ２０は、実施の形態１にて説明したＳ１〜Ｓ５およびＳ７〜Ｓ１０と同じ工程である。すなわち、本実施の形態では、Ｓ１６の工程（各チャンネルに対応する放送局が一致するか否かを判定する工程）が異なるのみである。
【００７６】
なお、上記Ｓ１６での判定結果に基づいてＳ１７の工程を行う際に、放送局名を含む文字情報が一致すると判定された各チャンネルに対応する各放送局名および／またはロゴが異なる場合には、放送局名および／またはロゴは任意に選択してもよく、予め選択方法を設定しておいてもよい。選択方法としては、例えば、放送局名を含む文字情報が一致すると判定された各チャンネルの内、表示領域内に含まれるチャンネル番号（サービスＩＤ）の一番小さいチャンネルに対応する放送局名および／またはロゴを選択するといった方法が挙げられる。
【００７７】
また、同じ放送局に含まれるチャンネルに対応付けられた、放送局名を含む文字情報が異なる場合には、放送局名を含む文字情報が一致しないとの判定になる。この場合、放送局が同じであってもチャンネル毎に放送局名を表示することとなる。
【００７８】
具体的には、例えば、ＡＡＡテレビという放送局にチャンネル１２１、１２２および１２３が含まれており、チャンネル１２１に対応する放送局名を含む文字情報が「ＡＡＡテレビ１」であり、チャンネル１２２に対応する放送局名を含む文字情報が「ＡＡＡテレビ２」であり、チャンネル１２３に対応する放送局名を含む文字情報が「ＡＡＡテレビ３」である場合がある。この場合には、各チャンネルは全て同じ放送局（ＡＡＡテレビ）であるにも関わらず、対応する放送局名を含む文字列は異なるため、放送局名を別々に表示することとなる。
【００７９】
なお、この場合、実施の形態１のように、放送局識別情報で判定した場合には、これら各チャンネルの放送局は一致すると判定されるため、放送局名やロゴは１つだけ表示されることとなる。したがって、本実施の形態は、放送局が同じであるが、表示する放送局名が異なる場合の判定に有効的に用いることができる。
【００８０】
〔実施の形態３〕
本発明の第３の実施の形態について図１、図２および図５に基づいて説明すれば以下の通りである。本実施の形態に係る電子番組表表示装置１の構成や、電子番組表表示装置１が表示する電子番組表２０については、実施の形態１と同様である。図５は、電子番組表表示装置１が電子番組表２０を表示するフローを示すフローチャートである。
【００８１】
なお、本実施の形態は、上記実施の形態１と比較して、各チャンネルに対応する放送局が一致するか否かを判定する工程が異なるものである。このため、本実施の形態では、主として、上記判定する工程に係る部分について説明する。また、特に断らない限り、本実施の形態で用いる用語についても、上記実施の形態１と同様の意味とする。
【００８２】
本実施の形態では、各チャンネルに対応する放送局が一致するか否かの判定に、放送局識別情報と放送局名を含む文字情報とを用いている。すなわち、実施の形態１にて説明した判定方法と、実施の形態２にて説明した判定方法とを用いたものである。
【００８３】
ここで、電子番組表表示装置１が電子番組表２０を表示するフローについて、図５に基づいて説明する。
【００８４】
まず、番組情報取得部９が、ＥＰＧデータ（番組情報）を取得する（Ｓ２１）。そして、取得したＥＰＧデータは記憶装置に記憶され、番組情報管理データベース３が作成される（Ｓ２２）。次に、電子番組表表示装置１に対して、電子番組表の表示指示が入力されると（Ｓ２３）、制御部４は、電子番組表の表示する領域を決定する（Ｓ２４）。
【００８５】
制御部４は、Ｓ２４にて決定された表示領域に対応するＥＰＧデータ（表示するＥＰＧデータ）を番組情報管理データベース３から取得する（Ｓ２５）。そして、判定部１２が、表示領域に含まれるＥＰＧデータの各チャンネル（各サービス）に対応付けられた放送局識別情報が一致するか否かを判定する（２６）。
【００８６】
Ｓ２６にて、放送局識別情報が一致すると判定された場合には、次に、判定部１２が、表示領域に含まれるＥＰＧデータの各チャンネル（各サービス）に対応付けられた放送局名を含む文字情報が一致するか否かを判定する（２７）。
【００８７】
Ｓ２７にて、放送局名を含む文字情報が一致すると判定された場合には、これら一致したチャンネルは同一の放送局に属するチャンネルとし、放送局名および／またはロゴを表示する領域に、対応する放送局名および／またはロゴを１つだけ表示するように電子番組表を作成する（Ｓ２８）。
【００８８】
具体的には、放送局識別情報が一致すると判定され、さらに、放送局名を含む文字情報も一致すると判定されたチャンネルの全領域で、各チャンネルに対応する各放送局名および／またはロゴのいずれか１つを表示することとなる。
【００８９】
一方、Ｓ２６にて、放送局識別情報が一致しないと判定された場合や、Ｓ２７にて、放送局名を含む文字情報が一致しないと判定された場合には、これら一致しないチャンネルに関しては、放送局名やロゴを表示する領域に、各々に対応する放送局名やロゴを個々に表示するように電子番組表を作成する（Ｓ２９）。
【００９０】
放送局識別情報に基づく判定および放送局名を含む文字情報に基づく判定（Ｓ２６〜Ｓ２９）の後、制御部４は、決定された表示領域に表示すべき全てのＥＰＧデータを取得したか否かを判定する（Ｓ３０）。表示すべき全てのＥＰＧデータを取得していると判定された場合には、上記判定結果に基づいて作成された電子番組表が表示される（Ｓ３１）。表示すべき全てのＥＰＧデータを取得していないと判定された場合には、再度Ｓ２５以降の工程を行う。そして、Ｓ３１の後は、処理を終了する。これにより、図２に示す電子番組表２０が表示される。
【００９１】
本実施の形態では、放送局識別情報および放送局名を含む文字情報の双方を用いた判定を行っているため、放送局が同じであって、かつ、放送局名が同じである場合にのみ、対応する放送局名および／またはロゴを１つだけ表示するようになっている。このため、放送局が異なる場合はもちろん、放送局が同じであっても放送局名を含む文字情報が異なる場合には、対応する放送局名および／またはロゴを別々に表示するようになっている。したがって、本実施の形態は、放送局および放送局名が完全に一致する場合の判定に有効的に用いることができる。
【００９２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００９３】
最後に、電子番組表表示装置の各ブロック、特に制御部は、ハードウェアロジックによって構成してもよいし、次のようにＣＰＵを用いてソフトウェアによって実現してもよい。
【００９４】
すなわち、電子番組表表示装置は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである電子番組表表示装置の制御プログラムのプログラムコード（実行形式プログラム、中間コードプログラム、ソースプログラム）をコンピュータで読み取り可能に記録した記録媒体を、上記電子番組表表示装置に供給し、そのコンピュータ（またはＣＰＵやＭＰＵ）が記録媒体に記録されているプログラムコードを読み出し実行することによっても、達成可能である。
【００９５】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００９６】
また、電子番組表表示装置を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【００９７】
本発明に係る電子番組表表示装置は、視覚性に優れた電子番組表を表示することができるので、電子番組表を表示する各種表示装置に好適に用いることができる。したがって、本発明は、各種の電子・電気機器やその部品を製造する産業分野に好適に用いることができる。
【図面の簡単な説明】
【００９８】
【図１】本発明の実施の一形態を示すものであり、電子番組表表示装置の概略構成を示すブロック図である。
【図２】本発明の実施の一形態を示すものであり、電子番組表表示装置が表示する電子番組表の概略図である。
【図３】本発明の実施の一形態を示すものであり、電子番組表表示装置が電子番組表を表示するフローを示すフローチャートである。
【図４】本発明の他の実施の形態を示すものであり、電子番組表表示装置が電子番組表を表示するフローを示すフローチャートである。
【図５】本発明のさらに他の実施の形態を示すものであり、電子番組表表示装置が電子番組表を表示するフローを示すフローチャートである。
【図６】従来の電子番組表の概略図である。
【図７】従来の電子番組表の概略図である。
【図８】従来の電子番組表の概略図である。
【符号の説明】
【００９９】
１    電子番組表表示装置
５    表示制御部（表示制御手段）
９    番組情報取得部（番組情報取得手段）
１２  判定部（判定手段）
２０  電子番組表
【図１】
2006210966.tif 000003
【図２】
2006210966.tif 000004
【図３】
2006210966.tif 000005
【図４】
2006210966.tif 000006
【図５】
2006210966.tif 000007
【図６】
2006210966.tif 000008
【図７】
2006210966.tif 000009
【図８】
2006210966.tif 000010